(57)【要約】【課題】  印鑑ケースを開ける時には上側ケースが芯棒のバネ復帰力のみで十分に開くようにし、閉じる時には上側ケースと下側ケースの間でガタ付きを生じさせず、左右の口金をスムーズに噛み合せることができる印鑑ケースを提供する。【解決手段】  上側ケース２２と、下側ケース２３と、これらケースの一側縁を連結する蝶番２４とを備え、蝶番が上側ケースの一側縁に設けられる上側パイプ２８ａ，２８ｂと、下側ケースの一側縁に設けられる下側パイプ２９ａ，２９ｂと、これらパイプのつなぎ目３５ａ，３５ｂ，３５ｃに大きな隙間を設けないように配列した前記上側パイプと下側パイプの中に挿通されると共に一端が上側パイプに他端が下側パイプにそれぞれ支持されるバネ性を有する芯棒３０とを備えた印鑑ケース２１であって、上側パイプと下側パイプの少なくとも一つのつなぎ目３５ｂの一部（上側パイプと下側パイプの付け根側）に略三角形の空隙部３１を設けた。【選択図】      図２
2005186393.tif 000002
【特許請求の範囲】
【請求項１】
上側ケースと、下側ケースと、これらケースの一側縁を連結する蝶番とを備え、
前記蝶番が、上側ケースの一側縁に設けられる上側パイプと、下側ケースの一側縁に設けられる下側パイプと、これら上側パイプ及び下側パイプのつなぎ目に大きな隙間を設けないように配列した前記上側パイプと下側パイプの中に挿通されると共に一端が上側パイプに他端が下側パイプにそれぞれ支持されるバネ性を有する芯棒とを備えた印鑑ケースであって、
前記上側パイプと下側パイプとのつなぎ目に空隙部を設けたことを特徴とする印鑑ケース。
【請求項２】
前記空隙部が上側パイプと下側パイプのつなぎ目の一部に設けられている請求項１記載の印鑑ケース。
【請求項３】
前記つなぎ目の一部が上側パイプと下側パイプの付け根側である請求項２記載の印鑑ケース。
【請求項４】
前記空隙部が略三角形である請求項１または２記載の印鑑ケース。
【請求項５】
前記空隙部は略三角形の底辺が上側パイプと下側パイプの付け根側である請求項４記載の印鑑ケース。
【請求項６】
前記空隙部が複数のつなぎ目の少なくとも１つに設けられている請求項１記載の印鑑ケース。
【請求項７】
前記上側パイプ及び下側パイプが、それぞれ上側ケース及び下側ケースとの一体成形品である請求項１記載の印鑑ケース。
【発明の詳細な説明】
【技術分野】
【０００１】
本発明は携帯用の印鑑ケースに関するものである。
【背景技術】
【０００２】
従来、この種の印鑑ケースとして、例えば図５乃至図７に示したようなものが知られている。この印鑑ケース１は、かまぼこ形状の上側ケース２及び下側ケース３からなるケース本体と、上側ケース２及び下側ケースの一側縁を連結する蝶番４と、蝶番４とは反対側の他側縁に設けられケース本体を開閉自在に閉じる口金５ａ，５ｂとで構成されている。下側ケース３の内部には印鑑収納部６と朱肉部７が設けられ、上側ケース２の内側全体が凹設されている。
【０００３】
前記蝶番４は、上側ケース２の一側縁に設けられた２個の上側パイプ８ａ，８ｂと、この上側パイプ８ａ，８ｂとは位置をずらせて下側ケース３の一側縁に設けられた２個の下側パイプ９ａ，９ｂと、これら上側パイプ８ａ，８ｂ及び下側パイプ９ａ，９ｂの中に挿通される芯棒１０とを備える。上記上側パイプ８ａ，８ｂと下側パイプ９ａ，９ｂとは一直線上で交互に配列されており、その中を一本の板バネからなる芯棒１０が１８０度捩れた状態で貫通している。この従来例では、芯棒１０の捩れた状態は、芯棒１０の一端１０ａを下側パイプ９ａの外側端部でかしめ、他端１０ｂを上側パイプ８ｂの外側端部でかしめることで確保される。
【０００４】
前記芯棒１０は、図６に示すように、捩れによってバネ性が付与されており、印鑑ケース１が閉じている時には捩れた状態にある。そのために、閉じている印鑑ケース１を開ける場合には、口金５ａ，５ｂを外した後は芯棒１０が捩れを戻そうとする時のバネ復帰力で上側ケース２を弾性的に開くことができる。
【特許文献１】特開平０９−１０９５３６号公報
【発明の開示】
【発明が解決しようとする課題】
【０００５】
ところで、上記従来における印鑑ケース１にあっては、蝶番４を構成する上側パイプ８ａ，８ｂと下側パイプ９ａ，９ｂとは、両者のつなぎ目１１ａ，１１ｂ，１１ｃにほとんど隙間がない状態で配列されている。これは、両者のつなぎ目１１ａ，１１ｂ，１１ｃに大きな隙間があると、上側ケース２と下側ケース３との間でガタ付いてしまい、印鑑ケースを閉じるときに左右の口金５ａ，５ｂがスムーズに噛み合わないおそれがあるからである。一方、上記のような板バネを芯棒１０として用いた場合には、図８に示されるように、捩れた状態にある芯棒１０の長さ寸法Ｌ１に比べて、捩れが解かれた後の芯棒１０の長さ寸法Ｌ２の方が若干長くなる。即ち、上側ケース２を開けていく段階で芯棒１０は徐々に捩れを解かれながら伸びようとするが、芯棒１０の両端１０ａ，１０ｂが固定されているために、芯棒１０が外側へ湾曲することによって伸びを吸収する。その結果、図９に示したように、上側パイプ８ａと下側パイプ９ｂのつなぎ目１１ｂには内方に曲がる僅かな角度αが付いてしまい、それが上側パイプ８ａと下側パイプ９ｂとの端部同士の競り合いの原因となり、つなぎ目１１ｂを詰まらせることで、上側ケース２の開方向の動きを悪くしてしまう。その結果、芯棒１０のバネ復帰力だけでは上側ケース２が十分に大きく開かないという問題があった。特に、上側パイプ８ａ，８ｂ及び下側パイプ９ａ，９ｂが上側ケース２及び下側ケース３との一体成形品である場合には、成形上の制約から上側パイプ８ａ，８ｂ及び下側パイプ９ａ，９ｂの直径が太くなってしまい、結果的にパイプの端部同士の接触面積もその分増えてしまうために、より一層上側ケース２が開きにくくなるといった問題があった。なお、上記つなぎ目１１ｂに限らず、他のつなぎ目１１ａ，１１ｃにおいても同様の問題があった。
【０００６】
そこで本発明は、印鑑ケースの上側ケースを開ける時には上側ケースが芯棒のバネ復帰力のみで十分に大きく開くようにし、上側ケースを閉じる時には上側ケースと下側ケースとの間でガタ付きを生じさせることなく、左右の口金をスムーズに噛み合せることができる印鑑ケースを提供することを目的とする。
【課題を解決するための手段】
【０００７】
上記課題を解決するために、本発明に係る印鑑ケースは、上側ケースと、下側ケースと、これらケースの一側縁を連結する蝶番とを備え、前記蝶番が、上側ケースの一側縁に設けられる上側パイプと、下側ケースの一側縁に設けられる下側パイプと、これら上側パイプ及び下側パイプのつなぎ目に大きな隙間を設けないように配列した前記上側パイプと下側パイプの中に挿通されると共に一端が上側パイプに他端が下側パイプにそれぞれ支持されるバネ性を有する芯棒とを備えた印鑑ケースであって、前記上側パイプと下側パイプとのつなぎ目に空隙部を設けたことを特徴とする。
【０００８】
本発明の一つの実施例では、前記空隙部が上側パイプと下側パイプのつなぎ目の一部に設けられている。また、前記つなぎ目の一部が上側パイプと下側パイプの付け根側である。
【０００９】
また、本発明の一つの実施例では、前記空隙部の形状が略三角形をしており、さらに略三角形の底辺が上側パイプと下側パイプの付け根側に設けられる。
【００１０】
さらに、本発明の一つの実施例では、前記空隙部が複数のつなぎ目の少なくとも１つに設けられている。
【発明の効果】
【００１１】
本発明に係る印鑑ケースは、上側パイプと下側パイプとのつなぎ目に空隙部を設けたことによって、印鑑ケースの上側ケースを開けた時に、上側パイプと下側パイプとの端部同士の競り合いを回避することができる。そのため、前記つなぎ目が詰まることがないので、上側ケースを開ける時には芯棒のバネ復帰力のみで十分に大きく開くことができる。また、前記空隙部と共につなぎ目での隙間を最小限とすることにより、上側ケースを閉じる時には左右の口金をスムーズに噛み合せることができる。特に、本発明は、上側パイプ及び下側パイプが上側ケース及び下側ケースとの一体成形品である印鑑ケースの場合に効果が大きい。
【発明を実施するための最良の形態】
【００１２】
以下、添付図面に基づいて、本発明に係る印鑑ケースを実施するための最良の形態を説明する。図１は、本発明に係る印鑑ケースの上側ケースを開けた時の斜視図、図２は印鑑ケースを閉じた時の平面図、図３は印鑑ケースを開けた時の平面図、図４は本発明に係る印鑑ケースの空隙部の作用を示す説明図である。
【００１３】
図１に示されるように、本発明に係る印鑑ケース２１は、上記で説明した従来例と同様、かまぼこ形状の上側ケース２２及び下側ケース２３からなるケース本体と、上側ケース２２及び下側ケース２３の一側縁を連結する蝶番２４と、蝶番２４とは反対側の他側縁に設けられケース本体を開閉自在に閉じる口金２５ａ，２５ｂとで構成されている。下側ケース２３の内部には印鑑収納部２６と朱肉部２７が設けられ、上側ケース２３の内側全体が凹設されている。
【００１４】
前記蝶番２４の基本的構造も上記従来例と同様であり、上側ケース２２の一側縁に設けられた２個の上側パイプ２８ａ，２８ｂと、この上側パイプ２８ａ，２８ｂとは位置をずらせて下側ケース２３の一側縁に設けられた２個の下側パイプ２９ａ，２９ｂと、これら上側パイプ２８ａ，２８ｂ及び下側パイプ２９ａ，２９ｂの中に挿通される芯棒３０とを備える。この実施形態において、上記上側パイプ２８ａ，２８ｂは上側ケース２２との一体成形品として形成され、下側パイプ２９ａ，２９ｂは下側ケース２３との一体成形品として形成されている。そのため、真鍮などで作ったパイプをケースの一側縁にロウ付けするタイプに比べて、上記上側パイプ２８ａ，２８ｂ及び下側パイプ２９ａ，２９ｂの直径は太いものとなる。このように形成される上側パイプ２８ａ，２８ｂ及び下側パイプ２９ａ，２９ｂは一直線上で交互に配列されており、その中を一本の板バネからなる芯棒３０が１８０度捩れた状態で貫通している。この実施形態では、芯棒３０の捩れた状態は、芯棒３０の一端３０ａが下側パイプ２９ａの外側端部にかしめられ、他端３０ｂが上側パイプ２８ｂの外側端部にかしめられることで確保されている。なお、上記のようなかしめによらなくても、芯棒３０の一端３０ａが回らないように下側パイプ２９ａの内部で支持し、他端３０ｂが回らないように上側パイプ２８ｂの内部で支持するようにしても、芯棒３０の捩れは確保される。
【００１５】
前記芯棒３０は、図２に示すように、全体の捩れによってバネ性が付与されており、印鑑ケース１が閉じている時には捩れた状態にある。そのために、開いている印鑑ケース１を閉じる場合には、芯棒３０のバネ力に抗して上側ケース２２と下側ケース２３とを閉じる方向に押し付けて口金２５ａ，２５ｂを係合する一方、閉じている印鑑ケース１を開ける場合には、口金２５ａ，２５ｂの係合を外した後は芯棒３０が捩れを戻そうとする時のバネ復帰力だけで上側ケース２２を弾性的に開くことができる。
【００１６】
この発明で特に注目すべき点は、上側パイプ２８ａ，２８ｂの端部と下側パイプ２９ａ，２９ｂの端部との間にできる３つのつなぎ目３５ａ，３５ｂ，３５ｃの内、真ん中のつなぎ目３５ｂに三角形状の空隙部３１を設けた点である。この空隙部３１は、例えば、図２及び図４（ａ）に示されるように、上側パイプ２８ａの端部の一部を斜めにカットした斜辺３３と、この斜辺３３と対称形となるように下側パイプ２９ｂの端部の一部を斜めにカットした斜辺３４と、ケース本体の一側縁を底辺３２とする三角形で構成される。また、この三角形はつなぎ目３５ｂの全体に形成されることなく、前記上側パイプ２８ａ及び下側パイプ２９ｂの付け根側に設けられ、つなぎ目３５ｂの外側の一部は隙間を作らないようにパイプの端部同士がほぼ接している状態である。一例として、この実施形態では、パイプの突出高さＨに対して、三角形の高さｈ１を約２／３とし、残りの１／３の高さｈ２は上側パイプ２８ａの端部と下側パイプ２９ｂの端部とがほとんど隙間なく接するように設定される。
【００１７】
上記空隙部３１を形成する三角形の高さｈ１及び斜辺３３，３４の斜角θは、図３及び図４（ｂ）に示したように、印鑑ケース１の上側ケース２２を開けた時に、下側パイプ２９ｂの斜辺３４と上側パイプ２８ａの斜辺３３とが競り合うのを防止できる値であれば十分である。
【００１８】
この実施形態では、図２に示したように、上記の空隙部３１は上側パイプ２８ａと下側パイプ２９ｂとのつなぎ目３５ｂのみに設け、上側パイプ２８ａと下側パイプ２９ａとのつなぎ目３５ａおよび上側パイプ２８ｂと下側パイプ２９ｂとのつなぎ目３５ｃは、ほとんど隙間ができないように設定してある。したがって、上側パイプ２８ａ，２８ｂと下側パイプ２９ａ，２９ｂは、つなぎ目３５ａ，３５ｂ，３５ｃにほとんど隙間がない状態で配列されることから、上側ケース２２と下側ケース２３との間でガタ付きを生じることがなく、印鑑ケースを閉じるときには左右の口金２５ａ，２５ｂをスムーズに係合することができる。なお、上記左右のつなぎ目３５ａ，３５ｃに上記と同様の構成からなる空隙部３１を設けたとしても、同様の作用効果を得ることができる。
【００１９】
次に、上記構成からなる印鑑ケース２１において、上側ケース２２を開ける時の空隙部３１の作用について説明する。
【００２０】
印鑑ケース２１を開ける場合には、口金２５ａ，２５ｂの係合を外すと芯棒３０のバネ復帰力によって上側ケース２２が弾性的に開く。この時、芯棒３０は捩れが解放されることによって伸びようとするが、芯棒３０の両端３０ａ，３０ｂが固定されているために外側へ湾曲する。上側ケース２２が開くことで上側パイプ２８ａ，２８ｂも一緒に回転するので、本実施例ではこの上側パイプ２８ａの回転によって空隙部３１の一方の斜辺３３が、図４（ａ）に示された傾斜方向から、図４（ｂ）に示された傾斜方向に１８０度角度を変えて他方の斜辺３４と平行となる。両方の斜辺３３，３４は、互いに接するように近づくが、重なり合ったり、競り合うこともない。そのため、従来上記芯棒３０の外側への湾曲によって生じていた上側パイプ２８ａと下側パイプ２９ｂとの端部同士の競り合いを防止でき、つなぎ目３５ｂが詰まることがない。その結果、図１に示したように、上側ケース２２は、下側ケース２３に対して、１８０度まで芯棒３０のバネ復帰力だけでスムーズに開くことができる。なお、前記空隙部３１の作用によって、他の２つのつなぎ目３５ａ，３５ｃが詰まるようなことはない。
【００２１】
印鑑ケース２１を閉じる場合には、従来と同様に芯棒３０のバネ力に抗して上側ケース２２と下側ケース２３とを閉じる方向に押し付けて口金２５ａ，２５ｂを係合することで簡単に閉じることができる。
【産業上の利用可能性】
【００２２】
本発明に係る印鑑ケース１は、口金２５ａ，２５ｂを外すだけで上側ケース２２を大きく開くことができるので、使い勝手が非常によくなり、様々な種類の携帯用印鑑ケースにも応用することができて実用性に優れる。
【図面の簡単な説明】
【００２３】
【図１】本発明に係る印鑑ケースの上側ケースを開けた時の斜視図である。
【図２】本発明に係る印鑑ケースの上側ケースを閉じた時の平面図である。
【図３】本発明に係る印鑑ケースの上側ケースを開けた時の平面図である。
【図４】本発明に係る印鑑ケースの空隙部の作用を示す説明図である。
【図５】従来の印鑑ケースの上側ケースを開けた時の斜視図である。
【図６】従来の印鑑ケースの上側ケースを閉じた時の平面図である。
【図７】従来の印鑑ケースの上側ケースを開けた時の平面図である。
【図８】芯棒に捩りがある時と捩りを解除した時の長さの違いを示す説明図である。
【図９】パイプの端部同士が詰まる状態を示す説明図である。
【符号の説明】
【００２４】
２１  印鑑ケース
２２  上側ケース
２３  下側ケース
２４  蝶番
２８ａ，２８ｂ  上側パイプ
２９ａ，２９ｂ  下側パイプ
３０  芯棒
３１  空隙部
３５ａ，３５ｂ，３５ｃ  つなぎ目
【図１】
2005186393.tif 000003
【図２】
2005186393.tif 000004
【図３】
2005186393.tif 000005
【図４】
2005186393.tif 000006
【図５】
2005186393.tif 000007
【図６】
2005186393.tif 000008
【図７】
2005186393.tif 000009
【図８】
2005186393.tif 000010
【図９】
2005186393.tif 000011